(57)【要約】【課題】  カメラの撮像面上における表示パネルのピクセルの像同士の重なり合い及びモアレの影響を抑制して各ピクセルの輝度を正確に測定することができる輝度測定方法を提供する。【解決手段】  本発明に係る輝度測定方法では、固体撮像素子を備えるカメラ７の撮像面上で表示パネル２のピクセルの像同士が重なり合わないように表示パネル２の一部のピクセルを点灯させ、カメラ７によりモアレが抑制されるまで拡大して撮像するとともに、その撮像面上で表示パネル２のピクセルの像同士が重なり合わないように表示パネル２の残部のピクセルを点灯させ、カメラ７によりモアレが抑制されるまで拡大して撮像し、表示パネル２の一部のピクセルについて撮像した画像及び残部のピクセルについて撮像した画像に基づいて、表示パネル２の全てのピクセルの輝度を算出する。【選択図】  図１
2015115726.tif 000002
【特許請求の範囲】
【請求項１】
固体撮像素子を備えるカメラの撮像面上で表示パネルのピクセルの像同士が重なり合わないように前記表示パネルの一部のピクセルを点灯させ、前記カメラによりモアレが抑制されるまで拡大して撮像する第一の撮像ステップと、
前記撮像面上で前記表示パネルのピクセルの像同士が重なり合わないように前記表示パネルの残部のピクセルを点灯させ、前記カメラによりモアレが抑制されるまで拡大して撮像する第二の撮像ステップと、
前記表示パネルの一部のピクセルについて撮像した画像及び前記表示パネルの残部のピクセルについて撮像した画像に基づいて、前記表示パネルの全てのピクセルの輝度を算出する輝度算出ステップとを含むことを特徴とする輝度測定方法。
【請求項２】
前記第一の撮像ステップにおいて、前記表示パネルの一部のピクセルを点灯させ、前記カメラにより合焦状態よりも拡大して撮像し、
前記第二の撮像ステップにおいて、前記表示パネルの残部のピクセルを点灯させ、前記カメラにより合焦状態よりも拡大して撮像することを特徴とする請求項１に記載の輝度測定方法。
【請求項３】
前記第一の撮像ステップ及び前記第二の撮像ステップにおいて、前記カメラの焦点を前記撮像面からずらすことにより、前記表示パネルのピクセルを拡大して撮像することを特徴とする請求項１又は２に記載の輝度測定方法。
【請求項４】
前記第一の撮像ステップ及び前記第二の撮像ステップにおいて、前記カメラの光学系にアポダイゼーション・フィルターを設け、前記カメラの焦点を前記撮像面からずらすことにより、前記表示パネルのピクセルを拡大して撮像することを特徴とする請求項１又は２に記載の輝度測定方法。
【請求項５】
前記第一の撮像ステップ及び前記第二の撮像ステップにおいて、前記カメラの絞り値を大きくすることにより、前記表示パネルのピクセルを拡大して撮像することを特徴とする請求項１に記載の輝度測定方法。
【請求項６】
前記第二の撮像ステップにおいて、前記撮像面上で前記表示パネルのピクセルの像同士が重なり合わないように前記表示パネルの残部のピクセルを一部ずつ点灯させて撮像することによって、前記表示パネルの残部のピクセルについて複数の画像を撮像し、
前記輝度算出ステップにおいて、前記表示パネルの一部のピクセルについて撮像した画像及び前記表示パネルの残部のピクセルについて撮像した複数の画像に基づいて、前記表示パネルの全てのピクセルの輝度を算出することを特徴とする請求項１乃至５のいずれか１項に記載の輝度測定方法。
【請求項７】
表示パネルのピクセルの点灯を制御するとともに、固体撮像素子を備えるカメラによる撮像を制御する制御部と、
前記カメラが撮像した画像に基づいて演算を行う演算部とを有し、
前記制御部が、前記カメラの撮像面上で前記表示パネルのピクセルの像同士が重なり合わないように前記表示パネルの一部のピクセルを点灯させ、前記カメラによりモアレが抑制されるまで拡大して撮像するとともに、前記撮像面上で前記表示パネルのピクセルの像同士が重なり合わないように前記表示パネルの残部のピクセルを点灯させ、前記カメラによりモアレが抑制されるまで拡大して撮像し、
前記演算部が、前記表示パネルの一部のピクセルについて撮像した画像及び前記表示パネルの残部のピクセルについて撮像した画像に基づいて、前記表示パネルの全てのピクセルの輝度を算出することを特徴とする輝度測定装置。
【請求項８】
前記制御部が、前記撮像面上で前記表示パネルのピクセルの像同士が重なり合わないように前記表示パネルの一部のピクセルを点灯させ、前記カメラにより合焦状態よりも拡大して撮像するとともに、前記撮像面上で前記表示パネルのピクセルの像同士が重なり合わないように前記表示パネルの残部のピクセルを点灯させ、前記カメラにより合焦状態よりも拡大して撮像することを特徴とする請求項７に記載の輝度測定装置。
【請求項９】
前記制御部が、前記カメラの焦点を前記撮像面からずらすことにより、前記表示パネルのピクセルを拡大して撮像することを特徴とする請求項７又は８に記載の輝度測定装置。
【請求項１０】
前記カメラの光学系にアポダイゼーション・フィルターが設けられ、
前記制御部が、前記カメラの焦点を前記撮像面からずらすことにより、前記表示パネルのピクセルを拡大して撮像することを特徴とする請求項７又は８に記載の輝度測定装置。
【請求項１１】
前記制御部が、前記カメラの絞り値を大きくすることにより、前記表示パネルのピクセルを拡大して撮像することを特徴とする請求項７に記載の輝度測定装置。
【請求項１２】
前記制御部が、前記撮像面上で前記表示パネルのピクセルの像同士が重なり合わないように前記表示パネルの残部のピクセルを一部ずつ点灯させて撮像することによって、前記表示パネルの残部のピクセルについて複数の画像を撮像し、
前記演算部が、前記表示パネルの一部のピクセルについて撮像した画像及び前記表示パネルの残部のピクセルについて撮像した複数の画像に基づいて、前記表示パネルの全てのピクセルの輝度を算出することを特徴とする請求項７乃至１１のいずれか１項に記載の輝度測定装置。
【請求項１３】
固体撮像素子を備えるカメラの撮像面上で表示パネルのピクセルの像同士が重なり合わないように前記表示パネルの一部のピクセルを点灯させ、前記カメラによりモアレが抑制されるまで拡大して撮像する第一の撮像ステップと、
前記撮像面上で前記表示パネルのピクセルの像同士が重なり合わないように前記表示パネルの残部のピクセルを点灯させ、前記カメラによりモアレが抑制されるまで拡大して撮像する第二の撮像ステップと、
前記表示パネルの一部のピクセルについて撮像した画像及び前記表示パネルの残部のピクセルについて撮像した画像に基づいて、前記表示パネルの全てのピクセルの輝度を算出する輝度算出ステップと、
前記輝度算出ステップで算出した輝度に基づいて、前記表示パネルの入力信号を補正して前記表示パネルの輝度むらを低減させる補正データを生成する補正データ生成ステップとを含むことを特徴とする補正データ生成方法。
【請求項１４】
前記第一の撮像ステップにおいて、前記表示パネルの一部のピクセルを点灯させ、前記カメラにより合焦状態よりも拡大して撮像し、
前記第二の撮像ステップにおいて、前記表示パネルの残部のピクセルを点灯させ、前記カメラにより合焦状態よりも拡大して撮像することを特徴とする請求項１３に記載の補正データ生成方法。
【請求項１５】
前記第一の撮像ステップ及び前記第二の撮像ステップにおいて、前記カメラの焦点を前記撮像面からずらすことにより、前記表示パネルのピクセルを拡大して撮像することを特徴とする請求項１３又は１４に記載の補正データ生成方法。
【請求項１６】
前記第一の撮像ステップ及び前記第二の撮像ステップにおいて、前記カメラの光学系にアポダイゼーション・フィルターを設け、前記カメラの焦点を前記撮像面からずらすことにより、前記表示パネルのピクセルを拡大して撮像することを特徴とする請求項１３又は１４に記載の補正データ生成方法。
【請求項１７】
前記第一の撮像ステップ及び前記第二の撮像ステップにおいて、前記カメラの絞り値を大きくすることにより、前記表示パネルのピクセルを拡大して撮像することを特徴とする請求項１３に記載の補正データ生成方法。
【請求項１８】
前記第二の撮像ステップにおいて、前記撮像面上で前記表示パネルのピクセルの像同士が重なり合わないように前記表示パネルの残部のピクセルを一部ずつ点灯させて撮像することによって、前記表示パネルの残部のピクセルについて複数の画像を撮像し、
前記輝度算出ステップにおいて、前記表示パネルの一部のピクセルについて撮像した画像及び前記表示パネルの残部のピクセルについて撮像した複数の画像に基づいて、前記表示パネルの全てのピクセルの輝度を算出することを特徴とする請求項１３乃至１７のいずれか１項に記載の補正データ生成方法。
【請求項１９】
固体撮像素子を備えるカメラの撮像面上で表示パネルのピクセルの像同士が重なり合わないように前記表示パネルの一部のピクセルを点灯させ、前記カメラによりモアレが抑制されるまで拡大して撮像する第一の撮像ステップと、
前記撮像面上で前記表示パネルのピクセルの像同士が重なり合わないように前記表示パネルの残部のピクセルを点灯させ、前記カメラによりモアレが抑制されるまで拡大して撮像する第二の撮像ステップと、
前記表示パネルの一部のピクセルについて撮像した画像及び前記表示パネルの残部のピクセルについて撮像した画像に基づいて、前記表示パネルの全てのピクセルの輝度を算出する輝度算出ステップと、
前記輝度算出ステップで算出した輝度に基づいて、前記表示パネルの入力信号を補正して前記表示パネルの輝度むらを低減させる補正データを生成する補正データ生成ステップと、
前記補正データを画質調整回路の記憶部に記憶させる補正データ記憶ステップと、
前記画質調整回路が前記補正データに基づいて前記入力信号を補正するように、前記画質調整回路を前記表示パネルに実装する実装ステップとを含むことを特徴とする画質調整型表示パネルの製造方法。
【請求項２０】
前記第一の撮像ステップにおいて、前記表示パネルの一部のピクセルを点灯させ、前記カメラにより合焦状態よりも拡大して撮像し、
前記第二の撮像ステップにおいて、前記表示パネルの残部のピクセルを点灯させ、前記カメラにより合焦状態よりも拡大して撮像することを特徴とする請求項１９に記載の画質調整型表示パネルの製造方法。
【請求項２１】
前記第一の撮像ステップ及び前記第二の撮像ステップにおいて、前記カメラの焦点を前記撮像面からずらすことにより、前記表示パネルのピクセルを拡大して撮像することを特徴とする請求項１９又は２０に記載の画質調整型表示パネルの製造方法。
【請求項２２】
前記第一の撮像ステップ及び前記第二の撮像ステップにおいて、前記カメラの光学系にアポダイゼーション・フィルターを設け、前記カメラの焦点を前記撮像面からずらすことにより、前記表示パネルのピクセルを拡大して撮像することを特徴とする請求項１９又は２０に記載の画質調整型表示パネルの製造方法。
【請求項２３】
前記第一の撮像ステップ及び前記第二の撮像ステップにおいて、前記カメラの絞り値を大きくすることにより、前記表示パネルのピクセルを拡大して撮像することを特徴とする請求項１９に記載の画質調整型表示パネルの製造方法。
【請求項２４】
前記第二の撮像ステップにおいて、前記撮像面上で前記表示パネルのピクセルの像同士が重なり合わないように前記表示パネルの残部のピクセルを一部ずつ点灯させて撮像することによって、前記表示パネルの残部のピクセルについて複数の画像を撮像し、
前記輝度算出ステップにおいて、前記表示パネルの一部のピクセルについて撮像した画像及び前記表示パネルの残部のピクセルについて撮像した複数の画像に基づいて、前記表示パネルの全てのピクセルの輝度を算出することを特徴とする請求項１９乃至２３のいずれか１項に記載の画質調整型表示パネルの製造方法。
【請求項２５】
表示パネルと、前記表示パネルの入力信号を補正して前記表示パネルの表示むらを低減させる補正データが記憶された記憶部を備える画質調整回路とを有し、
前記補正データは、固体撮像素子を備えるカメラの撮像面上で表示パネルのピクセルの像同士が重なり合わないように前記表示パネルの一部のピクセルを点灯させ、前記カメラによりモアレが抑制されるまで拡大して撮像した画像と、前記撮像面上で前記表示パネルのピクセルの像同士が重なり合わないように前記表示パネルの残部のピクセルを点灯させ、前記カメラによりモアレが抑制されるまで拡大して撮像した画像とから算出された前記表示パネルの全てのピクセルの輝度に基づいて、生成されていることを特徴とする画質調整型表示パネル。
【発明の詳細な説明】
【技術分野】
【０００１】
本発明は、表示パネルの各ピクセルの輝度を測定する輝度測定方法及び輝度測定装置と、これらを用いた画質調整技術に関する。
【背景技術】
【０００２】
液晶パネルや有機ＥＬパネル等の表示パネルでは、製造上のばらつきに起因して、表示むら（輝度むら、色むら）が生じることが知られている。表示パネルの各ピクセルがＲ、Ｇ、Ｂのサブピクセルを有する場合、個々のピクセルにおけるＲ、Ｇ、Ｂの相対的な明るさの関係は異ならないものの、近接するピクセル間で絶対的な明るさに差があるときには、輝度むらとなる。また、個々のピクセルにおけるＲ、Ｇ、Ｂの相対的な明るさの関係が、近接するピクセル間で異なるときには、色むらとなる。特に、有機ＥＬパネルでは、ピクセルごとの有機化合物層の厚さを均一にすることが難しいため、不揃いな層厚に起因する表示むらが生じやすく、大画面化が容易ではなかった。
【０００３】
このような表示むらを低減させて表示パネルの画質を改善する技術としては、例えば特許文献１に記載の輝度測定方法がある。この方法では、表示パネルの全てのピクセル（同文献における「画素」）を点灯させ、各ピクセルをＣＣＤカメラの複数の撮像点で撮像し（同文献の図５参照）、この複数の撮像点の輝度データに基づいてピクセルの輝度を算出している。算出されたピクセルごとの輝度を用いて表示むらを低減させる補正データを生成し、この補正データに応じて表示パネルの入力信号を補正することにより、表示パネルの画質を改善することができる。
【先行技術文献】
【特許文献】
【０００４】
【特許文献１】特開２０１０−２０３８８９号公報
【発明の概要】
【発明が解決しようとする課題】
【０００５】
ところで、特許文献１では、表示パネルの各ピクセルがカメラの撮像面上で独立して像を形成し、隣接するピクセルの像同士が重なり合わないことを前提としているが、実際には、カメラのレンズの収差その他の原因により、隣接するピクセルの像同士は重なり合う。したがって、ピクセルの輝度を正確に測定するためには、そのピクセルの像が位置する撮像面上の画素の出力をそのまま用いることはできず、そのピクセルに隣接するピクセルがその画素に与える影響を除去しなければならない。
【０００６】
また、もしそのような影響を除去し得たとしても、画素が格子状に配置された撮像面上では受光感度が場所により異なり、受光感度の低い部分（画素同士の境界が相対的に多く含まれる部分）に結像したピクセルは輝度が低いと測定され、モアレ状の模様が発生するから、このモアレの影響も除去しなければ正確な輝度測定が難しいという問題がある。
【０００７】
本発明は、上記の事情に鑑みてなされたもので、カメラの撮像面上における表示パネルのピクセルの像同士の重なり合い及びモアレの影響を抑制して各ピクセルの輝度を正確に測定することができる輝度測定方法及び輝度測定装置と、これらを用いた画質調整技術を提供することを課題としている。
【課題を解決するための手段】
【０００８】
上記課題を解決するために、本発明に係る輝度測定方法は、固体撮像素子を備えるカメラの撮像面上で表示パネルのピクセルの像同士が重なり合わないように前記表示パネルの一部のピクセルを点灯させ、前記カメラによりモアレが抑制されるまで拡大して撮像する第一の撮像ステップと、前記撮像面上で前記表示パネルのピクセルの像同士が重なり合わないように前記表示パネルの残部のピクセルを点灯させ、前記カメラによりモアレが抑制されるまで拡大して撮像する第二の撮像ステップと、前記表示パネルの一部のピクセルについて撮像した画像及び前記表示パネルの残部のピクセルについて撮像した画像に基づいて、前記表示パネルの全てのピクセルの輝度を算出する輝度算出ステップとを含むことを特徴とする。
【０００９】
本発明に係る補正データ生成方法は、上記各ステップに加えて、前記輝度算出ステップで算出した輝度に基づいて、前記表示パネルの入力信号を補正して前記表示パネルの輝度むらを低減させる補正データを生成する補正データ生成ステップを含み、本発明に係る画質調整型表示パネルの製造方法は、さらに、前記補正データを画質調整回路の記憶部に記憶させる補正データ記憶ステップと、前記画質調整回路が前記補正データに基づいて前記入力信号を補正するように、前記画質調整回路を前記表示パネルに実装する実装ステップとを含むことを特徴とする。
【００１０】
前記第二の撮像ステップにおいては、前記撮像面上で前記表示パネルのピクセルの像同士が重なり合わないように前記表示パネルの残部のピクセルを一部ずつ点灯させて撮像することによって、前記表示パネルの残部のピクセルについて複数の画像を撮像し、前記輝度算出ステップにおいては、前記表示パネルの一部のピクセルについて撮像した画像及び前記表示パネルの残部のピクセルについて撮像した複数の画像に基づいて、前記表示パネルの全てのピクセルの輝度を算出してもよい。
【００１１】
前記表示パネルのピクセルを拡大して撮像する方法としては、例えば、前記カメラの焦点を前記撮像面からずらしても、前記カメラの絞り値を大きくしてもよく、前者の場合には、前記カメラの光学系にアポダイゼーション・フィルターを設けてもよい。
【００１２】
本発明に係る輝度測定方法によれば、カメラの撮像面上で表示パネルのピクセルの像同士が重なり合わないように表示パネルのピクセルを分割点灯させ、これを順次撮像して輝度を算出しているので、表示パネルのピクセルの像同士の重なり合いの影響を除去して各ピクセルの輝度を求めることができる。さらに、各ピクセルを拡大して撮像しているので、撮像面上の受光感度がピクセルによってばらつく（過度に高かったり低かったりする）ことによるモアレの発生が防止され、モアレの影響を抑制して各ピクセルの輝度を正確に測定することができる（この効果は、本発明に係る輝度測定方法を実施可能な本発明に係る輝度測定装置も、もちろん奏する。）。
【００１３】
また、本発明に係る補正データ生成方法によれば、そのように測定された各ピクセルの輝度に基づいて、表示パネルの輝度むらを低減させる補正データが生成されるので、表示パネルの画質を高精度に調整することが可能な補正データを生成することができ（この効果は、本発明に係る補正データ生成方法を実施可能な補正データ生成装置も、もちろん奏する。）、本発明に係る画質調整型表示パネルの製造方法では、そのように生成された補正データが記憶された画質調整回路が表示パネルに実装されるので、表示パネルの画質を高精度に調整することができる。
【発明の効果】
【００１４】
本発明によれば、カメラの撮像面上における表示パネルのピクセルの像同士の重なり合い及びモアレの影響を抑制して各ピクセルの輝度を正確に測定することができ、この測定輝度を用いて表示パネルの画質を向上させることもできる。
【図面の簡単な説明】
【００１５】
【図１】実施形態１に係る輝度測定装置を示す説明図である。
【図２】実施形態１に係る輝度測定方法を示す流れ図である。
【図３】アライメントパターンを示す説明図である。
【図４】分割点灯パターンを拡大して示す説明図である。
【図５】撮像面上においてピクセルの像が重なり合っていない状態を示す説明図である。
【図６】デフォーカス量とモアレとの関係を示す説明図である。
【図７】Ｆ値とモアレとの関係を示す説明図である。
【図８】実施形態２に係る補正データ生成装置を示す説明図である。
【図９】実施形態２に係る補正データ生成方法、画質調整型有機ＥＬパネルの製造方法及び画質調整方法を示す流れ図である。
【図１０】分割点灯パターンの他の例を示す説明図である。
【図１１】分割点灯パターンのさらに他の例を示す説明図である。
【発明を実施するための形態】
【００１６】
本発明を実施するための形態について、図面を用いて説明する。
【００１７】
〔実施形態１〕
図１は、本形態に係る輝度測定装置を示す。この輝度測定装置１は、有機ＥＬパネル２の全てのピクセル（有機ＥＬパネル２の各ピクセルはＲ、Ｇ、Ｂのサブピクセルからなり、本発明では、このようなサブピクセルも「ピクセル」に含まれるものとする。）の輝度を測定するもので、制御部３と、演算部４と、記憶部５とを有する。制御部３は、パターン発生装置６を介して有機ＥＬパネル２の表示を制御するとともに、有機ＥＬパネル２に正対した白黒の固体撮像素子カメラ７による撮像を制御する。演算部４は、カメラ７の撮像画像等に基づいて各種の演算を行い、記憶部５は、カメラ７の撮像結果や演算部４の演算結果を記憶する。
【００１８】
輝度測定装置１が有機ＥＬパネル２のピクセルの赤色表示時の輝度を測定する際には、図２に示すように、まず、制御部３が、パターン発生装置６に指示して、図３に示すアライメントパターンＰＡを有機ＥＬパネル２に表示させる（ステップ１（図中「Ｓ．１」と記載。以下同様。））。アライメントパターンＰＡは、有機ＥＬパネル２上で既知の位置にある特定のピクセル（Ｒのサブピクセル）が点灯することにより、赤色四角形状のドットＤが縦横に並んだものである。
【００１９】
制御部３は、アライメントパターンＰＡが表示された有機ＥＬパネル２をカメラ７により撮像し（ステップ２）、演算部４は、この撮像画像に基づいて、ドットＤの像がカメラ７の撮像面上のどの画素に写るかを検出することにより、有機ＥＬパネル２のピクセルとカメラ７の画素との位置的な対応関係を求め（ステップ３）、これを記憶部５に記憶させる（ステップ４）。
【００２０】
次に、制御部３は、パターン発生装置６に指示して、図４（ａ）に示す分割点灯パターンＰ１を有機ＥＬパネル２に表示させる（ステップ５）。分割点灯パターンＰ１は、有機ＥＬパネル２の最も左上のピクセルと、このピクセルから１ピクセルおきに右に位置するピクセルと、これらのピクセルから１ピクセルおきに下に位置するピクセルとを点灯させたもので、制御部３は、これをカメラ７によりモアレが抑制されるまで拡大して撮像し（ステップ６）、撮像画像を記憶部５に記憶させる（ステップ７）。このようにピクセルの像を拡大しても、有機ＥＬパネル２においてピクセルを１ピクセルおきに間引いて点灯させているから、図５に示すように、カメラ７の撮像面８上において、隣接するピクセルの像９同士は重なり合っていない。
【００２１】
以降、制御部３は、図４（ｂ）に示す分割点灯パターンＰ２（分割点灯パターンＰ１で点灯していた各ピクセルの１つ右のピクセルが点灯）、同図（ｃ）に示す分割点灯パターンＰ３（分割点灯パターンＰ１で点灯していた各ピクセルの１つ下のピクセルが点灯）、及び、同図（ｄ）に示す分割点灯パターンＰ４（分割点灯パターンＰ２で点灯していた各ピクセルの１つ下のピクセルが点灯）について、ステップ５乃至７と同様な処理を行う（ステップ８）。
【００２２】
続いて、演算部４が、分割点灯パターンＰ１，Ｐ２，Ｐ３，Ｐ４の各撮像画像に基づいて、有機ＥＬパネル２の全てのピクセルの輝度を算出し（ステップ９）、記憶部５に記憶させる（ステップ１０）。詳細には、演算部４は、ステップ３で求めた対応関係を参照して分割点灯パターンＰ１の撮像画像から同パターンで点灯していたピクセルの輝度を算出し、分割点灯パターンＰ２の撮像画像から同パターンで点灯していたピクセルの輝度を算出し、分割点灯パターンＰ３の撮像画像から同パターンで点灯していたピクセルの輝度を算出し、分割点灯パターンＰ４の撮像画像から同パターンで点灯していたピクセルの輝度を算出し、これらを合成して有機ＥＬパネル２の全てのピクセルの輝度を得る。
【００２３】
以上は、輝度測定装置１が有機ＥＬパネル２のピクセルの赤色表示時の輝度（全てのＲのサブピクセルの輝度）を測定する方法であるが、輝度測定装置１は、有機ＥＬパネル２のピクセルの緑色表示時の輝度（全てのＧのサブピクセルの輝度）及び青色表示時の輝度（全てのＢのサブピクセルの輝度）についても、同様に測定可能である。
【００２４】
ところで、分割点灯パターンＰ１，Ｐ２，Ｐ３，Ｐ４で点灯する各ピクセルをモアレが抑制されるまで拡大して撮像するには、カメラ７をデフォーカスさせてその焦点を撮像面８からずらすようにすればよい。固体撮像素子としてＣＣＤを備えるカメラ７（撮像面８上の画素ピッチ：５．５μｍ）により、Ｆ値（絞り値）を５．６と固定してデフォーカス量を変えながら分割点灯パターンＰ１，Ｐ２，Ｐ３，Ｐ４を撮像し、それらの撮像画像を合成したところ、図６に示すように、デフォーカス量０μｍでは発生していたモアレがデフォーカス量５９μｍでは細かくなり、デフォーカス量１１６μｍでは観察されなくなった。
【００２５】
あるいは、カメラ７のＦ値を大きくして回折ボケを利用してもよく、固体撮像素子としてＣＣＤを備えるカメラ７（撮像面８上の画素ピッチ：５．５μｍ）により、フォーカスを合焦状態（デフォーカス量０μｍ）に固定してＦ値を変えながら分割点灯パターンＰ１，Ｐ２，Ｐ３，Ｐ４を撮像し、それらの撮像画像を合成したところ、図７に示すように、Ｆ値４．０や５．６では発生していたモアレがＦ値８では目立たなくなり、Ｆ値１１や１６では観察されなくなった。回折ボケのような効果は、カメラ７を多少ともデフォーカスさせるとともに（このデフォーカスのみにより、必ずしもモアレが十分に抑制されていなくてもよい。）、その光学系にアポダイゼーション・フィルター（光軸の中心部から周辺部にかけて透過率を下げ、好ましく透過率を正規分布になるようにしたフィルター）を設けることによっても得られ、これによりモアレを抑制してもよい。
【００２６】
本形態に係る輝度測定装置１による輝度測定方法では、カメラ７の撮像面８上で有機ＥＬパネル２のピクセルの像同士が重なり合わないように有機ＥＬパネル２のピクセルを分割点灯させ、これを順次撮像して輝度を算出しているので、有機ＥＬパネル２のピクセルの像同士の重なり合いの影響を除去して各ピクセルの輝度を求めることができる。さらに、各ピクセルを拡大して撮像しているので、撮像面８上の受光感度がピクセルによってばらつくことによるモアレの発生が防止され、モアレの影響を抑制して各ピクセルの輝度を正確に測定することができる。
【００２７】
〔実施形態２〕
図８は、本形態に係る補正データ生成装置を示す。この補正データ生成装置１０は、実施形態１に係る輝度測定装置１に対してＲＯＭライタ１１が追加接続されたもので、図９に示すように、輝度測定装置１と同様に有機ＥＬパネル２の全てのピクセルの輝度を測定した上で（ステップ１乃至１０）、このピクセルごとの輝度に基づいて、演算部４が、有機ＥＬパネル２の表示むら（輝度むら）を低減させる補正データを生成する（ステップ１１）。生成された補正データは、ＲＯＭライタ１１によりＲＯＭ（不揮発性メモリ）１２に書き込まれ（ステップ１２）、このＲＯＭ１２を備える画質調整回路１３が有機ＥＬパネル２に実装されることによって、画質調整型有機ＥＬパネル１４が製造される（ステップ１３）。
【００２８】
画質調整型有機ＥＬパネル１４では、画像信号が入力されると（ステップ１４）、画質調整回路１３がＲＯＭ１２に書き込まれた補正データを参照して有機ＥＬパネル２に入力された画像信号（入力信号）を補正することにより、有機ＥＬパネル２の表示むらの低減が図られて画質が調整される（ステップ１５）。
【００２９】
本形態に係る補正データ生成装置１０による補正データ生成方法及び画質調整型有機ＥＬパネル１４の製造方法では、実施形態１におけると同様に有機ＥＬパネル２のピクセルごとの輝度が測定され、このピクセルごとの輝度に基づいて、有機ＥＬパネル２の表示むらを低減させる補正データが生成されるので、有機ＥＬパネル２の画質を高精度に調整することができる。
【００３０】
以上、本発明を実施するための形態について例示したが、本発明の実施形態は上述したものに限られず、本発明の趣旨を逸脱しない範囲で適宜変更等してもよい。
【００３１】
例えば画質調整に供する表示パネルは有機ＥＬパネルに限られず、液晶パネルやプラズマディスプレイ（ＰＤＰ）、あるいは、投影型のプロジェクタ等であってもよい。
【００３２】
また、カメラは白黒カメラに限られずカラーカメラであってもよく、ピクセルの像を拡大して撮像するにはデフォーカスによらず、ズームやカメラの移動等によることとしてもかまわない。
【００３３】
さらに、分割点灯パターンも図４に示すものに限られず、例えば表示パネルのピクセルを図１０に示すように２ピクセルおきに点灯させても、図１１に示すように市松模様状に点灯させてもかまわない。
【符号の説明】
【００３４】
１          輝度測定装置
２          有機ＥＬパネル（表示パネル）
３          制御部
４          演算部
５          記憶部
６          パターン発生装置
７          カメラ
８          撮像面
９          像
１０        補正データ生成装置
１１        ＲＯＭライタ
１２        ＲＯＭ（記憶部）
１３        画質調整回路
１４        画質調整型有機ＥＬパネル（画質調整型表示パネル）
【図１】
2015115726.tif 000003
【図２】
2015115726.tif 000004
【図３】
2015115726.tif 000005
【図４】
2015115726.tif 000006
【図５】
2015115726.tif 000007
【図８】
2015115726.tif 000008
【図９】
2015115726.tif 000009
【図１０】
2015115726.tif 000010
【図１１】
2015115726.tif 000011
【図６】
2015115726.tif 000012
【図７】
2015115726.tif 000013